(57)【要約】【課題】容器本体を弾性収縮力のある筒状体により構成することにより構造が簡単でしかも安価な消火器を得る。【解決手段】消火剤を充填する容器本体と、該容器本体内の消火剤を外部に向けて放射する操作ヘッドとからなり、容器本体が弾性収縮力のある筒状体により構成されている。　これにより構造が簡単で安価であり、消火剤放射のための圧力ガスボンベや、サイフォン管などを不要とし、しかも非常時における作動の確実性を保持させることができ、安全で、しかも非常時における消火剤の確実な放射を得ることができる。【選択図】図１
2004129860.tif 000002
【特許請求の範囲】
【請求項１】
消火剤を充填する容器本体と、該容器本体内の消火剤を外部に向けて放射する操作ヘッドとからなり、容器本体が弾性収縮力のある筒状体により構成されていることを特徴とした消火器。
【請求項２】
消火剤を充填する容器本体と、該容器本体内の消火剤を外部に向けて放射する操作ヘッドとからなり、容器本体の周りには収縮力のある金属製のバネ材が被せられていることを特徴とした消火器。
【請求項３】
容器本体の周りに被せた収縮力のある金属製弾性体のバネ材が、螺旋状に巻かれたものであるところの請求項２に記載の消火器。
【請求項４】
容器本体が、容器の長さ方向に伸縮自在であるところの請求項１〜３に記載の消火器。
【請求項５】
弾性収縮力のある容器本体、あるいは周りに収縮力のある金属製のバネ材が被せられた容器本体が、消火器の管胴等の外容器内に装入されているものであるところの請求項１又は請求項２に記載の消火器。
【請求項６】
消火剤を充填する容器本体と、該容器本体内の消火剤を外部に向けて放射する操作ヘッドとからなり、容器本体が両端を開口させたチューブ状であって、一端を操作ヘッドに取り付けるとともに、他端低部を閉塞手段にて閉塞してなるところの請求項１〜５に記載の消火器。
【請求項７】
チューブ状をした容器本体の他端底部を閉塞する手段が、底部開口部内に挿入される栓体と、容器本体底部外周側から上記栓体に対して締め付け固定する締め付けバンドとからなるものであるところの請求項１〜６に記載の消火器。
【発明の詳細な説明】
【０００１】
【発明の属する技術分野】
本発明は簡単で安価な消火器に関し、消火剤放射のための圧力ガスボンベや、サイフォン管などを不要とし、しかも非常時における作動の確実性を保持させることを目的とする。
【０００２】
【従来の技術】
汎用されている消火器は一般的に、消火剤を充填する有底の管胴部と、該管胴部の上方に取り付けられる操作ヘッド部とからなり、管胴部内には液体や粉末などの消火剤のほかに、これらを外部に圧送する小型のガスボンベや、ガス圧により消火剤を操作ヘッド部へ圧送するサイフォン管を備え、また操作ヘッド部には管胴部内の小型ガスボンベを開封し、管胴部内の圧力を増大させる操作レバーや、消火対象域に向けて消火剤を放射させる放射ホースなどを有する。
【０００３】
【発明が解決しようとする課題】
しかしながら、上記した汎用の消火器は機構上の複雑さから必然的にコスト高となるのみならず、長期間にわたる設置によりガスボンベや管胴部まわりに経時的に発錆して使用に際して圧力不足を生じ、非常時の使用に役立たないこともある。　また内部腐食などにより容器の強度不足を生じ、ガス圧による爆発等の事故に至る危険もある。
【０００４】
【課題を解決するための手段】
そこで本発明は、上記した課題を解決し、消火器の構造を簡素化するとともに、火災発生に際して確実に作動するようにしたものであって、具体的には請求項１の発明は、消火剤を充填する容器本体と、該容器本体内の消火剤を外部に向けて放射する操作ヘッドとからなり、容器本体が弾性収縮力のある筒状体により構成されていることを特徴とした消火器に関する。
【０００５】
また請求項２の発明は、消火剤を充填する容器本体と、該容器本体内の消火剤を外部に向けて放射する操作ヘッドとからなり、容器本体の周りには収縮力のある金属製のバネ材が被せられていることを特徴とした消火器に関する。　さらに請求項３の発明は、容器本体の周りに被せた収縮力のある金属製弾性体のバネ材が、螺旋状に巻かれたものであるところの請求項２に記載の消火器に関する。
【０００６】
さらに請求項４の発明は、容器本体が、容器の長さ方向に伸縮自在であるところの請求項１〜３に記載の消火器に関する。　さらに請求項５の発明は、弾性収縮力のある容器本体、あるいは周りに収縮力のある金属製のバネ材が被せられた容器本体が、消火器の管胴等の外容器内に装入されているものであるところの請求項１又は請求項２に記載の消火器に関する。
【０００７】
さらに請求項６の発明は、消火剤を充填する容器本体と、該容器本体内の消火剤を外部に向けて放射する操作ヘッドとからなり、容器本体が両端を開口させたチューブ状であって、一端を操作ヘッドに取り付けるとともに、他端低部を閉塞手段にて閉塞してなるところの請求項１〜５に記載の消火器に関する。
【０００８】
さらに請求項７の発明は、チューブ状をした容器本体の他端底部を閉塞する手段が、底部開口部内に挿入される栓体と、容器本体底部外周側から上記栓体に対して締め付け固定する締め付けバンドとからなるものであるところの請求項１〜６に記載の消火器に関する。
【０００９】
上記した各構成において、操作ヘッドの操作レバーを操作して消火剤が充填されている容器本体の開口部を開口させると、弾性収縮力のある容器本体、あるいは周りに収縮力のある弾性体が被せられた容器本体が収縮して内容物である消火剤が操作ヘッドへと圧送され、さらに操作ヘッドから外部に向けて放射される。
【００１０】
【発明の実施の形態】
以下において、本発明の具体的な内容を図１〜６にあらわした実施例をもとに説明する。　図１は本発明の第１実施例をあらわし、消火剤を充填する容器本体１と、該容器本体１内の消火剤（図示省略）を外部に向けて放射する操作ヘッド３とからなる。　容器本体１はゴムやウレタン等の柔軟な樹脂材などの材質からなり、弾性収縮力のある有底の筒状体により構成され、長さ方向の上端部には内部を開口させるとともに外周縁に螺子部（図示省略）を設けた取付部２を有する。
【００１１】
なお容器本体１は、加工性を良好にし、低コスト化をはかるために両端を開口させたチューブ状のものを使用することができる。　この場合にはチューブ状の容器本体１の一端を操作ヘッドに取り付けるとともに、他端低部を閉塞手段にて閉塞して有底の容器として使用する。
【００１２】
具体的には、図３にもあらわしたように、チューブ状をした容器本体１の他端底部を適当な閉塞手段により閉塞して有底の容器としてしようするもので、閉塞する手段については、例えば底部開口部内に挿入される栓体１３と、容器本体底部外周側から上記栓体に対して気密に締め付け固定する締め付けバンド１４とからなるものが使用可能である。
【００１３】
また操作部３は鋳物などの金属材により構成され、下部には下端にバルブ６ａを有した弁棒６を貫通させたバルブ取付部４を有するとともに、上部にはピン５ａを介して自由端を上下方向に可動させることの可能な操作レバー５を有し、しかも該操作レバー５のピン５ａ寄りの位置に、前記した弁棒６の上端部を回動自在に取り付けてある。
【００１４】
なお図において８は、一端を上記バルブ取付部４に取り付けた放射用のホースをあらわす。　かかる構成において容器本体１内に消火剤を充填して膨らませる（図１および図２の実線参照）と、バルブ６ａはバルブ取付部４の内面に押圧され、ゴムなどのＯリング７により気密に保持されるとともに、消火剤の放射後における容器本体１ａは，図１および図２に鎖線であらわした形状に収縮する。
【００１５】
また図４（Ａ）は、本発明の第２実施例をあらわす。　この場合には比較的柔軟な材質、例えばゴムやナイロンなどで予め消火薬剤の充填量に合わせた容量の大きさとし、しかも底部開口を閉じて適当な圧着手段により有底とした容器本体１の周りに弾力性のある弾性体、（例えばゴムチューブなど）９を被せるとともに、容器本体１内に消火剤を充填して図（Ａ）のように膨らませた状態にて、これをヘッド部３に取り付け、操作レバー５を操作して容器本体内の消火剤を外部に放射させるようにしたものである。　なお放射後における容器本体１の形状については図４（Ｂ）し示した通りである。
【００１６】
さらに図５（Ａ）は、本発明の第３実施例を示す。　この場合には前記第１実施例と同様の容器本体１を用い、その周りに被せた収縮力のある弾性体として螺旋状に巻かれた金属製のバネ材１１が用いられ、これを容器本体１の外周面に沿わせて装着するとともに、取付部２の開口部から消火剤を充填して容器本体１を、バネ材１１の収縮力に抗して充填して膨らませた状態にてヘッド部３に取り付けるとともに、操作レバー５を操作して上記した取付部２の開口部を開放し、バネ材１１の収縮力により内部の消火剤を外部に放射させる。　なお消火剤を放射した後における容器本体１の形状は図５（Ｂ）に示した通りである。
【００１７】
さらに、図６（Ａ）は本発明の第４実施例を示す。　この場合には容器本体１が、蛇腹構造によって該容器の長さ方向（高さ方向）に伸縮自在に構成されており、しかもその外周面には常時収縮方向の付勢力が付与されたコイル状のバネ材１２が沿わせてある。
【００１８】
しかるに取付部２の開口部から消火剤を充填して容器本体１を、バネ材１２の上下方向の収縮力に抗して充填して膨らませた状態にてヘッド部３に取り付けるとともに、操作レバー５を操作して上記した取付部２の開口部を開放し、バネ材１２の収縮力により内部の消火剤を外部に放射させる。　なお消火剤を放射した後における容器本体１の形状は図６（Ｂ）に示した通りである。
【００１９】
上記した各実施例の構成において、操作ヘッド３の操作レバー５を操作して消火剤が充填されている容器本体１の開口部を開口させると、弾性収縮力のある容器本体１、あるいは周りに収縮力のある弾性体９又は１１又は１２が被せられた容器本体１が収縮して内容物である消火剤が操作ヘッド３へと圧送され、さらに該操作ヘッド３から放射用ホース８により外部に向けて放射される。
【００２０】
【発明の効果】
本発明は上記した通り、消火剤を充填する容器本体と、該容器本体内の消火剤を外部に向けて放射する操作ヘッドとからなり、容器本体が弾性収縮力のある筒状体により構成され、あるいは容器本体の周りには収縮力のある弾性体を被せてなるものであるために、構造が簡単で安価であり、しかも非常時における消火剤の確実な放射を得ることができる。　さらに高圧ガスボンベ等を使用しないために、容器の爆発等の事故がなく安全性に優れている。
【００２１】
また容器本体として、両端を開口させたチューブ状の弾性収縮力のある筒状体を使用するために、容器本体の加工が容易で量産性に適し、しかも低コストを実現することができる。
【図面の簡単な説明】
【図１】本発明の第１実施例である消火器の断面図。
【図２】図１におけるバルブ取付部４の部分拡大図。
【図３】本発明において使用されるところの、両端を開口させたチューブ状の弾性収縮力のある筒状体を用いた容器本体の底部閉塞手段の一例をあらわした部分断面図。
【図４】本発明の第２実施例である消火器用容器本体部分の外観図。
【図５】本発明の第３実施例である消火器用容器本体部分の外観図。
【図６】本発明の第４実施例である消火器用容器本体部分の外観図。
【符号の説明】
１　　　　容器本体
２　　　　取付部
３　　　　操作ヘッド
４　　　　バルブ取付部
５　　　　操作レバー
５ａ　　　ピン
６　　　　弁棒
７　　　　Ｏリング
８　　　　放射用ホース
９　　　　ゴムスリーブ
１０　　　外容器
１１　　　バネ材
１２　　　バネ材
１３　　　栓体
１４　　　締め付けバンド
【図１】
2004129860.tif 000003
【図２】
2004129860.tif 000004
【図３】
2004129860.tif 000005
【図４】
2004129860.tif 000006
【図５】
2004129860.tif 000007
【図６】
2004129860.tif 000008